(57)【要約】【課題】片軸受リールにおいて、サミングスペースを確保しながら、ハンドルつまみをスプールに容易に取り付ける。【解決手段】スプール３は、外周に釣り糸が巻かれ内周の軸方向一側が開口する凹部１５ａを有する筒状の糸巻胴部１５と、糸巻胴部１５の軸方向一側端部に凹部１５ａが露出するように設けられた第１フランジ１６ａと、糸巻胴部１５の軸方向他側端部に第１フランジ１６ａと対向して設けられた第２フランジ１６ｂと、外周部が糸巻胴部１５の内周側に配置され内周部がスプール軸２に回転自在に装着されるボス部１７と、糸巻胴部１５とボス部１７とを連結する連結部１８と、第１フランジ１６ａ側から糸巻胴部１５の凹部１５ａに着脱可能に装着固定されるハンドルつまみ取付部材８と、ハンドルつまみ取付部材８の第１フランジ１６ａ側先端部に取り付けられるハンドルつまみ７とを有している。【選択図】図４
2008178349.tif 000002
【特許請求の範囲】
【請求項１】
釣竿に装着され、前記釣竿の長手方向と交差する軸に沿う軸回りに釣り糸を巻き取る片軸受リールであって、
前記釣竿に装着されるリール本体と、
前記リール本体に片持ち固定されたスプール軸と、
内周部が前記スプール軸に回転自在に装着されるボス部と、外周に釣り糸が巻かれ内周の少なくとも軸方向一側が開口する凹部を有する筒状の糸巻胴部と、前記糸巻胴部の内周部と前記ボス部の外周部とを連結する円板状の連結部と、前記糸巻胴部の軸方向一側端部に前記凹部が露出するように設けられ前記糸巻胴部より大径の第１フランジと、前記糸巻胴部の軸方向他側端部に前記第１フランジと対向して設けられ前記糸巻胴部より大径の第２フランジとを有するスプールと、
前記第１フランジ側から前記凹部に着脱可能に装着固定されるハンドルつまみ取付部材と、
前記ハンドルつまみ取付部材の前記第１フランジ側先端部に取り付けられ、前記スプール軸と平行な軸に沿う軸回りに回転可能なハンドルつまみと、
を備えた片軸受リール。
【請求項２】
前記ハンドルつまみ取付部材は、前記糸巻胴部の内周部に前記糸巻胴部の径方向から固定される、請求項１に記載の片軸受リール。
【請求項３】
前記連結部は、軸方向に貫通する貫通孔を有しており、
前記ハンドルつまみ取付部材は、前記貫通孔に挿通して前記糸巻胴部の内周部に固定される、請求項１又は２に記載の片軸受リール。
【請求項４】
前記ハンドルつまみ取付部材は、前記貫通孔に挿通したときに前記貫通孔が形成されていない前記連結部の内側への突出部が係合可能な係合溝が形成されている、請求項３に記載の片軸受リール。
【請求項５】
前記スプールは、前記連結部の前記ハンドルつまみ取付部材装着位置と前記スプール軸に対して対称となる位置に前記第１フランジ側から装着固定されるバランサをさらに有している、請求項１から４のいずれか１項に記載の片軸受リール。
【請求項６】
前記リール本体、前記第１フランジ及び前記第２フランジの少なくともいずれかは、周方向に間隔をあけて複数並べて形成され軸方向に貫通する貫通孔を有している、請求項１から５のいずれか１項に記載の片軸受リール。
【請求項７】
前記糸巻胴部、前記第１フランジ及び前記第２フランジは、アルミニウム合金を切削加工することにより一体成形されている、請求項１から６のいずれか１項に記載の片軸受リール。
【請求項８】
前記ハンドルつまみ取付部材は、前記ハンドルつまみを取り付けたときに前記ハンドルつまみの一部が前記第１フランジの外周面に重なるように取り付けられる、請求項１から７のいずれか１項に記載の片軸受リール。
【請求項９】
前記ハンドルつまみ取付部材は、前記糸巻胴部の内周部の軸方向全体にわたって延びる部材である、請求項１から８のいずれか１項に記載の片軸受リール。
【発明の詳細な説明】
【技術分野】
【０００１】
本発明は、片軸受リール、特に、釣竿に装着され、釣竿の長手方向と交差する軸に沿う軸回りに釣り糸を巻き取る片軸受リールに関する。
【背景技術】
【０００２】
片軸受リールは、一般に、フライを使用する渓流釣りや筏や波止場や船から比較的浅場の魚を釣るのに使用される。片軸受リールは、リール本体と、リール本体に片持ち支持されたスプール軸と、スプール軸に回転自在に装着された糸巻き用のスプールとを有している（たとえば、特許文献１参照）。
【０００３】
この種の片軸受リールのスプールは、外周に釣り糸が巻かれる筒状の糸巻胴部と、糸巻胴部のリール本体と逆側の露出側端部に形成された円盤状の第１フランジ（外フランジ）と、糸巻胴部のリール本体側端部に第１フランジと対向して形成された円盤状の第２フランジ（内フランジ）とを有している。糸巻胴部の内周部は、スプール軸が回転自在に支持されるボス部との間を円板状の連結部によって連結されており、第１フランジ側の糸巻胴部内周部は外方に露出するようになっている。また、第１フランジの糸巻胴部露出部分（略中央部分）を除いた環状の露出面には、第１フランジの外周近傍において、スプール軸と平行な軸に沿う軸回りに回転可能な棒状のハンドルつまみが取り付けられている。このようなハンドルつまみは、第１フランジに対して回転可能に固定されており、ハンドルつまみを把持して回転させることによってスプールが回転してスプールに釣り糸を巻き取ることができる。
【特許文献１】特開平１１−２５３０８３号公報
【発明の開示】
【発明が解決しようとする課題】
【０００４】
前記従来の片軸受リールのスプールでは、たとえば細い釣り糸を巻きつけるときには、太い釣り糸を下巻きする代わりに糸巻胴部の外周に大径のエコノマイザを装着し、糸巻胴部を外径を大きくすることが行われている。しかし、このようなエコノマイザを装着したり、リールと別部材のエコノマイザを保管したりするのは、釣人にとって非常に手間が掛かることがある。そこで、このようなエコノマイザを使用しなくて済むように、糸巻胴部自身を大径になるように形成した浅溝スプールを提供することが考えられる。ここでは、このような浅溝スプールを用いることにより、大径の糸巻胴部の外周に細い釣り糸を巻きつけることができる。
【０００５】
しかし、このように糸巻胴部を大径に形成すると、外方に露出する第１フランジ側の糸巻胴部内周部の内径が大きくなり、このため、第１フランジの糸巻胴部露出部分を除いた環状の露出部分が狭くなるおそれがある。
【０００６】
このように第１フランジの環状の露出部分が狭くなると、ハンドルつまみは第１フランジの環状の露出面に突出して固定されているので、ハンドルつまみを取り付けるスペースを確保するのが困難である。また、環状の露出部分が狭い第１フランジにハンドルつまみを取り付けることができたとしても、第１フランジの従来に比してさらに外周近傍にハンドルつまみが取り付けられることになるので、サミングを行うときに指がハンドルつまみに干渉してしまうおそれが生じる。
【０００７】
本発明の課題は、片軸受リールにおいて、サミングスペースを確保しながら、ハンドルつまみをスプールに容易に取り付けることにある。
【課題を解決するための手段】
【０００８】
発明１に係る片軸受リールは、釣竿に装着され釣竿の長手方向と交差する軸に沿う軸回りに釣り糸を巻き取る片軸受リールであって、釣竿に装着されるリール本体と、リール本体に片持ち固定されたスプール軸と、スプールと、ハンドルつまみ取付部材と、ハンドルつまみとを備えている。スプールは、内周部がスプール軸に回転自在に装着されるボス部と、外周に釣り糸が巻かれ内周の少なくとも軸方向一側が開口する凹部を有する筒状の糸巻胴部と、糸巻胴部の内周部とボス部の外周部とを連結する円板状の連結部と、糸巻胴部の軸方向一側端部に凹部が露出するように設けられ糸巻胴部より大径の第１フランジと、糸巻胴部の軸方向他側端部に第１フランジと対向して設けられ糸巻胴部より大径の第２フランジとを有している。ハンドルつまみ取付部材は、第１フランジ側から凹部に着脱可能に装着固定される。ハンドルつまみは、ハンドルつまみ取付部材の第１フランジ側先端部に取り付けられ、スプール軸と平行な軸に沿う軸回りに回転可能な部材である。
【０００９】
この片軸受リールでは、ハンドルつまみ取付部材は、第１フランジ側から凹部に着脱可能に装着固定され、ハンドルつまみは、ハンドルつまみ取付部材の第１フランジ側先端部に取り付けられている。ここでは、特に、糸巻胴部の外径が大径の浅溝スプールである場合には、外方に露出する糸巻胴部の内周部である凹部の内径が大きくなり、第１フランジの糸巻胴部の凹部が露出した部分を除いた環状の露出部分が狭くなることがあるが、このような場合でも、ハンドルつまみは第１フランジ側に開口する凹部に装着固定されたハンドルつまみ取付部材の先端部に固定されているので、第１フランジの環状の露出部分にハンドルつまみを取り付ける必要がなくなる。ここでは、ハンドルつまみは第１フランジの環状の露出部分より内周側に設けられることになるので、ハンドルつまみを取り付けるスペースを確保できるとともに、サミングを行うときに指がハンドルつまみに干渉しにくくなる。したがって、このような構成によって、サミングスペースを確保しながら、ハンドルつまみをスプールに容易に取り付けることができる。
【００１０】
発明２に係る片軸受リールは、発明１の片軸受リールにおいて、ハンドルつまみ取付部材は、糸巻胴部の内周部に糸巻胴部の径方向から固定される。この場合、たとえばハンドルつまみ取付部材を連結部に軸方向にねじ止め固定するときには、ねじ部材の頭部を連結部に接触させるためのスペースを確保する必要があるが、ここではハンドルつまみ取付部材を糸巻胴部の径方向に固定しているので、ハンドルつまみ取付部材を糸巻胴部の内周部に接触でき、このためハンドルつまみ取付部材の先端部に固定されるハンドルつまみをできるだけ外周側に配置することができる。また、ハンドルつまみ取付部材のたとえばねじ止め固定が容易になるとともに、ハンドルつまみ取付部材の固定方向がハンドルつまみの回転軸と交差する方向なので、ハンドルつまみを回転させてもハンドルつまみ取付部材が外れにくくなる。
【００１１】
発明３に係る片軸受リールは、発明１又は２の片軸受リールにおいて、連結部は、軸方向に貫通する貫通孔を有している。ハンドルつまみ取付部材は、貫通孔に挿通して糸巻胴部の内周部に固定される。この場合、スプール全体の軽量化が図れるとともに、外観に露出する連結部の意匠性を向上できる。
【００１２】
発明４に係る片軸受リールは、発明３の片軸受リールにおいて、ハンドルつまみ取付部材は、貫通孔に挿通したときに貫通孔が形成されていない連結部の内側への突出部が係合可能な係合溝が形成されている。この場合、ハンドルつまみ取付部材を貫通孔に挿通させて係合溝を突出部に係合させることにより、ハンドルつまみ取付部材の装着固定が強固になる。また、ハンドルつまみ取付部材挿通用の貫通孔を、軽量化及び意匠性向上を目的とした貫通孔と兼用させることで、スプールの加工工程を増加させることなく、別に貫通孔を設ける場合に比して強度の低下や意匠性に影響を及ぼしにくくなる。
【００１３】
発明５に係る片軸受リールは、発明１から４のいずれかの片軸受リールにおいて、スプールは、連結部のハンドルつまみ取付部材装着位置とスプール軸に対して対称となる位置に第１フランジ側から装着固定されるバランサをさらに有している。この場合、ハンドルつまみ取付部材装着位置とスプール軸に対して対称となる位置にバランサ（錘）を設けることにより、ハンドルつまみ及びハンドルつまみ取付部材を合わせた質量分だけ重量が一方向に偏るのを防止できる。
【００１４】
発明６に係る片軸受リールは、発明１から５のいずれかの片軸受リールにおいて、リール本体、第１フランジ及び第２フランジの少なくともいずれかは、周方向に間隔をあけて複数並べて形成され軸方向に貫通する貫通孔を有している。この場合、スプール全体の軽量化が図れるとともに、外観に露出する連結部の意匠性を向上できる。
【００１５】
発明７に係る片軸受リールは、発明１から６のいずれかの片軸受リールにおいて、糸巻胴部、第１フランジ及び第２フランジは、アルミニウム合金を切削加工することにより一体成形されている。この場合、たとえばアルミニウム合金のマシンカットにより糸巻胴部、第１フランジ及び第２フランジを一体成形することにより、加工性を向上できるとともに、高級感を演出できる。
【００１６】
発明８に係る片軸受リールは、発明１から７のいずれかの片軸受リールにおいて、ハンドルつまみ取付部材は、ハンドルつまみを取り付けたときにハンドルつまみの一部が第１フランジの外周面に重なるように取り付けられる。この場合、ハンドルつまみは、ハンドルつまみの一部が第１フランジの外周面に重なるように、できるだけ外周側に配置されているので、巻き上げ力を軽くできる。
【００１７】
発明９に係る片軸受リールは、発明１から８のいずれかの片軸受リールにおいて、ハンドルつまみ取付部材は、糸巻胴部の内周部の軸方向全体にわたって延びる部材である。この場合、ハンドルつまみとハンドルつまみ取付部材との合成重心位置を糸巻胴部内に位置させることができるので、バランサを第１フランジからあまり突出させることなく、スプール全体の動的バランスを向上させることができる。
【発明の効果】
【００１８】
本発明によれば、片軸受リールにおいて、ハンドルつまみ取付部材は、第１フランジ側から凹部に着脱可能に装着固定され、ハンドルつまみは、ハンドルつまみ取付部材の第１フランジ側先端部に取り付けられているので、サミングスペースを確保しながら、ハンドルつまみをスプールに容易に取り付けることができる。
【発明を実施するための最良の形態】
【００１９】
〔全体の構成〕
図１から図３は、本発明の一実施形態による片軸受リールを示している。図１から図３において片軸受リールは、リール本体１と、リール本体１に片持ち支持されたスプール軸２と、スプール軸２に対して相対回転自在に配置され外周に釣り糸が巻かれるスプール３と、スプール３の一方向の回転を制動するドラグ機構４とを備えている。
【００２０】
〔リール本体の構成〕
リール本体１は、一方側（図２左側）に円盤状の側板１０を有し、他方側は開放されている。側板１０の外周には、軸方向に延びる上下１対の保護部１１ａ、１１ｂが円周方向に所定の間隔で形成されている。上側の保護部１１ａには、この片軸受リールを釣竿に取り付けるための取付部１２が設けられている。リール本体１は、図２及び図３に示すように、側板１０の周方向に間隔をあけて複数（１０箇所）並べて形成され軸方向に貫通する貫通孔１０ａを有している。
【００２１】
〔スプール軸の構成〕
スプール軸２は、図２に示すように、その基端がリール本体１の側板１０の中心部に形成されて雌ねじ孔１０ｂにねじ込み固定されている。スプール軸２の基端部には、側板１０の雌ねじ孔１０ｂに螺合する雄ねじ２ａが形成されている。この雄ねじ２ａは、リール本体１の側板１０の中心部から軸方向外方（図２左側）に突出している。また、スプール軸２の先端には、図２に示すように、環状溝２ｂと、環状溝２ｂより大径で先端が先細りの頭部２ｃとが形成されている。環状溝２ｂに隣接してスプール軸２の先端部を支持する滑り軸受２１が装着される軸受支持部２ｄが形成されている。また、軸受支持部２ｄの基端側は、軸受支持部２ｄより大径に形成され、そこには、環状溝２ｅが形成されている。また、その基端側には雄ねじ２ａに隣接して互いに平行な面取り部２ｆが形成されている。この面取り部２ｆにスパナなどの工具を係止してスプール軸２を側板１０にねじ込むことができる。
【００２２】
〔スプールの構成〕
スプール３は、図１から図４に示すように、後述する糸巻胴部１５の外径が大径になるように形成された、いわゆるラージアーバーリールといわれる浅溝スプールである。スプール３は、図１から図４に示すように、外周に釣り糸が巻かれ内周の少なくとも軸方向一側（図２右側）が開口する凹部１５ａを有する筒状の糸巻胴部１５と、糸巻胴部１５の軸方向一側端部に凹部１５ａが露出するように設けられ糸巻胴部１５より大径の第１フランジ１６ａと、糸巻胴部１５の軸方向他側端部に第１フランジ１６ａと対向して設けられ糸巻胴部１５より大径の第２フランジ１６ｂと、外周部が糸巻胴部１５の内周側に配置され内周部がスプール軸２に回転自在に装着されるボス部１７と、糸巻胴部１５とボス部１７とを連結する円板状の連結部１８とを有している。
【００２３】
糸巻胴部１５は、外周に釣り糸が巻かれる筒状部材であって、内周部が第１フランジ１６ａ側外方（図２右側）に開口するような凹部１５ａが形成されている。凹部１５ａは、糸巻胴部１５の内周部と連結部１８の第１フランジ１６ａ側外方面（図２右側）とで囲まれた凹陥部である。糸巻胴部１５、第１フランジ１６ａ及び第２フランジ１６ｂ、ボス部１７、連結部１８は、アルミニウム合金を切削加工（マシンカット）することにより一体成形されている。糸巻胴部１５は、図２及び図３に示すように、周方向に間隔をあけて複数（２列１０箇所）並べて形成され径方向に貫通する円形の抜き孔である貫通孔１５ｂを有している。第１フランジ１６ａは、図１から図３に示すように、周方向に間隔をあけて複数（３６箇所）並べて形成され軸方向に貫通する円形の抜き孔である貫通孔１６ｅを有している。第２フランジ１６ｂは、図２及び図３に示すように、周方向に間隔をあけて複数（３６箇所）並べて形成され軸方向に貫通する円形の抜き孔である貫通孔１６ｆを有している。連結部１８は、図１から図３に示すように、周方向に間隔をあけて大小複数（大５箇所、小６箇所）互い違いになるように並べて形成され軸方向に貫通する円形の抜き孔である貫通孔１８ａ、１８ｂを有している。これらの貫通孔１５ｂ、１６ｅ、１６ｆ、１８ａ、１８ｂは、後加工による切削加工（マシンカット）を行うことにより形成されている。
【００２４】
第１フランジ１６ａは、図１から図３に示すように、糸巻胴部１５の他端部（図２右側）にリール本体１の開放部を覆うように一体で形成され、第２フランジ１６ｂは、糸巻胴部１５の一端部（図２左側）に糸巻胴部１５と一体で形成されている。第１フランジ１６ａは、第２フランジ１６ｂと対向するように第２フランジ１６ｂより大径に形成され、第２フランジ１６ｂは、リール本体１の側板１０と対向するように形成されている。また、糸巻胴部１５、第１フランジ１６ａは、図２に示すように、糸巻胴部１５の外径（糸巻胴部１５の半径Ａの２倍）が、第１フランジ１６ａの外径（第１フランジ１６ａの半径Ｂの２倍）の、７０％以上９０％以下、望ましくは７５％以上８５％以下となるように形成されている。具体的には、図２では、糸巻胴部１５の外径（糸巻胴部１５の半径Ａの２倍）が、第１フランジ１６ａの外径（第１フランジ１６ａの半径Ｂの２倍）の８２％である。
【００２５】
ボス部１７は、スプール軸２が貫通可能な貫通孔１７ａを有する筒状の部材であり、先端側は蓋部材３１で塞がれている。ボス部１７は、スプール軸２が貫通する先端面に貫通孔１７ａと同芯に形成された円形の装着空間を有している。ボス部１７の先端部外周面には、雄ねじ１７ｂが形成されており、蓋部材３１が着脱自在に螺合している。また、スプール３は、ボス部１７の基端部に装着された玉軸受２２と、ボス部１７の先端部に装着された滑り軸受２１とによりスプール軸２に回転自在に装着されている。また、滑り軸受２１と玉軸受２２との間には、ローラクラッチ２３が装着されている。
【００２６】
連結部１８は、図１から図４に示すように、糸巻胴部１５の内周部とボス部１７の外周部とを連結する円板部材である。連結部１８の外側面（図２右側）は、糸巻胴部１５の凹部１５ａを生成する底部となっており、連結部１８の外側面には、ハンドルつまみ７が装着されるハンドルつまみ取付部材８と、ハンドルつまみ７と中心対象に配置されたバランサであるバランスウェイト１６ｃとが装着されている。バランスウェイト１６ｃは、金属製の円柱部材であって、連結部１８の外周側（図２右側）から装着され、連結部１８の内周側（図２左側）から装着されたボルト１６ｄによって、連結部１８に固定されている。なお、バランスウェイト１６ｃは、貫通孔１８ａ、１８ｂを避けた位置に配置されており、具体的には、図１に示すように、５箇所の大きい貫通孔１８ａと等間隔となる位置に、かつハンドルつまみ７が装着されるハンドルつまみ取付部材８が挿入される大きい貫通孔１８ａと対称となる位置に配置されている。
【００２７】
〔ハンドルつまみの構成〕
ハンドルつまみ７は、図１から図４に示すように、ハンドルつまみ取付部材８の第１フランジ１６ａ側先端部に取り付けられ、スプール軸２と平行な軸に沿う軸回りに回転可能な柱状部材である。ハンドルつまみ７は、図４に示すように、釣人が指先で摘むための筒状の本体部材７ａと、本体部材７ａの内周部に相対回転可能に先端部（図４右側）から取り付けられるボルト７ｂと、ボルト７ｂに取り付けられ本体部材７ａの基端部とハンドルつまみ取付部材８の先端部との間に介装されるワッシャ７ｃとを有している。ここでは、ボルト７ｂの先端部外周に形成された雄ねじ７ｄを、後述するハンドルつまみ取付部材８の雌ねじ８ｄに螺合させることによって、ハンドルつまみ７をハンドルつまみ取付部材８に固定している。
【００２８】
〔ハンドルつまみ取付部材の構成〕
ハンドルつまみ取付部材８は、図１から図４に示すように、第１フランジ１６ａ側から糸巻胴部１５の凹部１５ａに着脱可能に装着固定される略円柱状部材であり、先端部にハンドルつまみ７を取り付けるための部材である。ハンドルつまみ取付部材８は、図４に示すように、連結部１８に形成された大きな貫通孔１８ａの１つに第１フランジ１６ａ側から軸方向に挿入され、糸巻胴部１５に形成された２つの貫通孔１５ｂにそれぞれ径方向外周側から装着されたボルト９ａ、９ｂによって固定されている。
【００２９】
ハンドルつまみ取付部材８は、略円柱状の本体部材８ａを有しており、本体部材８ａの径は連結部１８の大きな貫通孔１８ａの径よりやや小径となるように形成されている。ここでは、ハンドルつまみ取付部材８挿通用の連結部１８の大きな貫通孔１８ａを、軽量化及び意匠性向上を目的とした大きな貫通孔１８ａと兼用させることで、スプール３の加工工程を増加させることなく、別にハンドルつまみ取付部材８挿通用の貫通孔を設ける場合に比して強度の低下や意匠性に影響を及ぼしにくくなる。また、ここでは、ボルト９ａ、９ｂによってハンドルつまみ取付部材８を糸巻胴部１５の径方向に固定しているので、ハンドルつまみ取付部材８を糸巻胴部１５の内周部に接触でき、このため、ハンドルつまみ取付部材８の先端部に固定されるハンドルつまみ７をできるだけ外周側に配置することができる。また、ハンドルつまみ取付部材８のたとえばねじ止め固定が容易になるとともに、ハンドルつまみ取付部材８の固定方向がハンドルつまみ７の回転軸と交差する方向なので、ハンドルつまみ７を回転させてもハンドルつまみ取付部材８が外れにくくなる。また、ハンドルつまみ取付部材８は、糸巻胴部１５の内周部の軸方向全体にわたって延びる部材である。ここでは、ハンドルつまみ７とハンドルつまみ取付部材８との合成重心位置が糸巻胴部１５内に位置することになるので、バランスウェイト１６ｃを第１フランジ１６ａから突出させることなく、スプール３全体の動的バランスを向上させることができる。
【００３０】
ハンドルつまみ取付部材８は、外周部の中腹部と先端部との２箇所に周方向にそれぞれ凹んで形成された係合溝８ｂ及び係止溝８ｃを有している。係合溝８ｂは、ハンドルつまみ取付部材８に連結部１８の大きな貫通孔１８ａに挿通したときに、貫通孔１８ａが形成されていない連結部１８の内側への突出部１８ｃが係合可能な係合溝である。ここでは、ハンドルつまみ取付部材８を貫通孔１８ａに挿通させて、係合溝８ｂを突出部１８ｃに係合させることにより、ハンドルつまみ取付部材８の糸巻胴部１５への装着固定が強固になる。係止溝８ｃは、糸巻胴部１５の凹部１５ａの開口端部に係止可能な係止溝であって、係止溝８ｃが凹部１５ａの開口端部に係止されることによってハンドルつまみ取付部材８が軸方向内方（図４左側）に移動するのを規制できる。また、ハンドルつまみ取付部材８の本体部材８ａの外周部は、糸巻胴部１５の内周部に固定される部分が糸巻胴部１５内周部の円弧に沿うように切り欠き切削されており、これによってハンドルつまみ７の軸芯位置を外周側（図４では下側）に偏移させている。これによって、ハンドルつまみ取付部材８は、ハンドルつまみ７を取り付けたときにハンドルつまみ７の一部が第１フランジ１６ａの外周面に重なるように取り付けられる。ここでは、ハンドルつまみ７の軸芯位置が外周側に偏移しているので、巻き上げ力を軽くすることができる。
【００３１】
ハンドルつまみ取付部材８の先端面は、第１フランジ１６ａの外周面と略同一またはよりやや内側となる位置に配置されており、このため、ハンドルつまみ７の取り付け位置を従来の第１フランジ１６ａの表面位置に合わせることができるので、この場合には、従来の第１フランジ１６ａの表面に固定していたハンドルつまみ７を新たに加工することなくそのまま転用することができる。また、ハンドルつまみ取付部材８の先端部には、前述した雌ねじ８ｄが形成されており、ボルト７ｂの雄ねじ７ｄを螺合させることによって、ハンドルつまみ７がハンドルつまみ取付部材８に取り付けられる。
【００３２】
〔ローラクラッチの構成〕
ローラクラッチ２３は、図２及び図３に示すように、スプール３に着脱自在に装着され、ドラグ機構４が糸繰り出し方向でのみ作動するように設けられている。ローラクラッチ２３は、図２に示すように、ボス部１７の内周面に形成された係止溝に回転不能に装着された外輪２５と、スプール軸２に回転自在に装着された内輪２６と、外輪２５と内輪２６との間に両者に接触可能に配置された、たとえば６つのローラ２７とを有する内輪遊転形のワンウェイクラッチである。ローラ２７は、図示しない保持器により外輪２５内に装着されている。
【００３３】
〔ワンタッチ着脱機構の構成〕
スプール３は、図１から図３に示すように、糸巻胴部１５、第１フランジ１６ａ及び第２フランジ１６ｂ、ボス部１７、連結部１８をワンタッチでスプール軸２から取り外すためのワンタッチ着脱機構６とをさらに有している。
【００３４】
ワンタッチ着脱機構６は、図２に示すように、スプール軸２の環状溝２ｂに係止される弾性線材製のばね部材３０と、ばね部材３０を抜け止めするために装着空間を覆うようにボス部１７の先端にねじ込み固定された蓋部材３１と、蓋部材３１に軸方向移動自在に装着されたプッシュボタン３２と、ばね部材３０を蓋部材３１との間に配置するためのばね配置部材として機能する前述した滑り軸受２１とを有している。
【００３５】
〔ドラグ機構の構成〕
ドラグ機構４は、図２及び図３に示すように、内輪に回転不能に係止される回転円板４０と、リール本体１にスプール軸２に沿う軸方向に移動自在かつ回転不能に装着され回転円板４０に圧接可能な、たとえば２枚の制動円板４１、４２と、リール本体１に軸方向に移動可能に設けられ制動円板４１、４２を回転円板４０側に圧接するための圧接機構４３とを有している。回転円板４０と制動円板４１との間には、両者の相対回転、つまりドラグ作動時に発音する第１発音機構４７が設けられている。また、圧接機構４３には、ドラグ力を調整する際に発音する第２発音機構４８が設けられている。
【００３６】
圧接機構４３は、操作つまみ５１と、操作つまみ５１により押圧される３枚の皿ばね５２と、皿ばねにより押圧されるワッシャ５３と、ワッシャ５３により押圧される、たとえば３本の押圧ピン５４とを有している。ここでは、皿ばね５２のバネ力を操作つまみ５１の回動操作により調整することで、制動円板４１、４２と回転円板４０とドラグリング４４と耳付きリング４５との摩擦力が変化しドラグ力を調整できる。
【００３７】
次に動作について説明する。
【００３８】
スプール３の糸巻胴部１５の外周に釣り糸を巻き取る際には、ハンドルつまみ７を操作してスプール３を回転させる。スプール３はスプール軸２に対して相対回転する。このとき、ローラクラッチ２３は遮断されるので、外輪２５は自由に回転してスプール３の巻取り方向の回転は許容される。このため、スプール３はスムーズに回転するようになっている。
【００３９】
スプール３から釣り糸を繰り出す際には、スプール３は前記とは逆方向に回転する。このとき、ローラクラッチ２３は、連結されるので、内輪２６も外輪２５とともに回転しようとする。しかし、内輪２６は、回転円板４０を介して制動円板４１、４２、耳付きリング４５により制動されているので、回転力に対して皿ばね５２により設定された抵抗力（ドラグ力）が作用している。このため、スプール３が必要以上に回転して釣り糸が過剰に引き出されるのを防止でき、糸からみを避けることができる。
【００４０】
また、このような釣り糸の繰り出し時には、回転円板４０はスプール３とともに回転し、制動円板４１、４２、耳付けリング４５はその回転が禁止されているので、制動円板４０、４１が相対回転し第１発音機構４７が発音するようになっている。
【００４１】
このような片軸受リールのスプール３では、ハンドルつまみ取付部材８は、第１フランジ１６ａ側から糸巻胴部１５の凹部１５ａに着脱可能に装着固定され、ハンドルつまみは７、ハンドルつまみ取付部材８の第１フランジ１６ａ側先端部に取り付けられている。ここでは、糸巻胴部１５の外径が大径になるように形成された、いわゆるラージアーバーリールといわれる浅溝スプールであるので、外方に露出する糸巻胴部１５の内周部である凹部１５ａの内径が大きくなり、第１フランジ１６ａの糸巻胴部１５の凹部１５ａが露出した部分を除いた環状の露出部分が狭くなるが、このような場合でも、ハンドルつまみ７は第１フランジ１６ａ側に開口する糸巻胴部１５の凹部１５ａに装着固定されたハンドルつまみ取付部材８の先端部に固定されているので、第１フランジ１６ａの環状の露出部分にハンドルつまみ７を取り付ける必要がなくなる。ここでは、ハンドルつまみ７は第１フランジ１６ａの環状の露出部分より内周側に設けられることになるので、ハンドルつまみ７を取り付けるスペースを確保できるとともに、サミングを行うときに指がハンドルつまみ７に干渉しにくくなる。したがって、このような構成によって、サミングスペースを確保しながら、ハンドルつまみ７をスプール３に容易に取り付けることができる。
【００４２】
〔他の実施形態〕
（ａ）  前記実施形態では、片軸受リールのスプール３として、糸巻胴部１５の外径（糸巻胴部１５の半径Ａの２倍）が、第１フランジ１６ａの外径（第１フランジ１６ａの半径Ｂの２倍）の８２％となる浅溝スプールを例示したが、これに限定されるものではなく、糸巻胴部１５の外径（糸巻胴部１５の半径Ａの２倍）が、第１フランジ１６ａの外径（第１フランジ１６ａの半径Ｂの２倍）の、７０％以上９０％以下、望ましくは７５％以上８５％以下となるような浅溝スプールであればよい。
【００４３】
（ｂ）  前記実施形態では、リール本体１の側板１０、糸巻胴部１５、第１フランジ１６ａ、第２フランジ１６ｂ、連結部１８には、それぞれ、貫通孔１０ａ、貫通孔１５ｂ、貫通孔１６ｅ、１６ｆ、貫通孔１８ａ、１８ｂが設けられていたが、少なくとも１つの大きな貫通孔１８ａと２つの貫通孔１５ｂを除いてこれらの一部を設けない構成にしてもよい。また、貫通孔１０ａ、貫通孔１５ｂ、貫通孔１６ｅ、１６ｆ、貫通孔１８ａ、１８ｂの形状や個数や配置は前記実施形態に限定されるものではない。
【００４４】
（ｃ）  前記実施形態では、係合溝８ｂを突出部１８ｃに係合させていたが、図４に示すように、１つの大きな貫通孔１８ａを糸巻胴部１５内周部位置まで大きくすることにより突出部１８ｃを設けず、ハンドルつまみ取付部材８に係合溝８ｂを設けない構成にしてもよい。
【００４５】
（ｄ）  前記実施形態では、ハンドルつまみ取付部材８は２つのボルト９ａ、９ｂによって糸巻胴部１５に固定されていたが、図５に示すように、１つのボルト９ｂによってハンドルつまみ取付部材８を固定する構成にしてもよい。また、ハンドルつまみ取付部材８の固定手段はボルト９ａ、９ｂに限定されるものではなく、他の固定手段であってもよい。
【図面の簡単な説明】
【００４６】
【図１】本発明の一実施形態による片軸受リールの正面図。
【図２】その片軸受リールの側断面図。
【図３】片軸受リールの分解斜視図。
【図４】図２の要部の拡大断面図。
【図５】他の実施形態の図４に相当する図。
【図６】他の実施形態の図４に相当する図。
【符号の説明】
【００４７】
１  リール本体
２  スプール軸
３  スプール
７  ハンドルつまみ
７ａ  本体部材
７ｂ  ボルト
７ｃ  ワッシャ
７ｄ  雄ねじ
８  ハンドルつまみ取付部材
８ａ  本体部材
８ｂ  係合溝
８ｃ  係止溝
８ｄ  雌ねじ
９ａ、９ｂ  ボルト
１０  側板
１０ａ  貫通孔
１５  糸巻胴部
１５ａ  凹部
１５ｂ  貫通孔
１６ａ  第１フランジ
１６ｂ  第２フランジ
１６ｃ  バランスウェイト
１６ｄ  ボルト
１６ｅ、１６ｆ  貫通孔
１７  ボス部
１８  連結部
１８ａ、１８ｂ  貫通孔
１８ｃ  突出部
Ａ  糸巻胴部の半径
Ｂ  第１フランジの半径
【図１】
2008178349.tif 000003
【図２】
2008178349.tif 000004
【図３】
2008178349.tif 000005
【図４】
2008178349.tif 000006
【図５】
2008178349.tif 000007
【図６】
2008178349.tif 000008